(57)【特許請求の範囲】
【請求項１】
店舗の室の内部に配設されたショーケースに内蔵される冷凍機の排熱を処理するための装置であって、
導入した空気を前記冷凍機に供給する給気手段と、
駆動することにより前記冷凍機の周囲を通過した空気を、前記室において商品の精算処理を行うカウンタの配設領域の近傍に送出口を通じて送出する排気手段とを備え、
前記給気手段は、前記ショーケースの前面の直上域である前記室の天井に形成された導入口を通じて該室の内部の空気を導入するものであり、
前記送出口は、自身の長手方向が前記カウンタの長手方向と一致する態様で該カウンタの直上域である前記室の天井に形成されたことを特徴とする排熱処理装置。
【請求項２】
前記冷凍機が前記ショーケースの上部に配置されていることを特徴とする請求項１に記載の排熱処理装置。
【発明の詳細な説明】
【技術分野】
【０００１】
本発明は、排熱処理装置に関し、より詳細には、例えばコンビニエンスストア等の店舗の室の内部に配設されたショーケースの冷凍機の排熱を処理するための装置に関するものである。
【背景技術】
【０００２】
従来、例えば店舗の室の内部に配設されたショーケースの冷凍機の排熱を処理するための排熱処理装置が特許文献１に提案されている。この排熱処理装置では、ショーケースが店内とバックヤードとを区画するエリアに配設されており、店内に設置された空調装置が暖房運転を行う場合には、バックヤード内若しくは店内の空気をショーケースの冷凍機の周囲に通過させて該空気に該冷凍機の排熱を回収させてから該空調装置の循環ダクトに供給することで該空調装置の加熱負荷を低減させていた。
【先行技術文献】
【特許文献】
【０００３】
【特許文献１】特開平７−１２４４６号公報
【発明の概要】
【発明が解決しようとする課題】
【０００４】
ところで、上述した特許文献１に提案されている排熱処理装置では、冷凍機の周囲を通過した空気を空調装置の循環ダクトに供給していたので、いわゆる循環型空調装置を備える店舗では有用なものの、例えば小型店舗のように非循環型空調装置が設置された室では適用することが困難であり、結果的に、空調装置の加熱負荷の低減が困難な場合があった。
【０００５】
本発明は、上記実情に鑑みて、空調装置の形態に関わらず、該空調装置の加熱負荷の低減化を図ることができる排熱処理装置を提供することを目的とする。
【課題を解決するための手段】
【０００６】
上記目的を達成するために、本発明に係る排熱処理装置は、店舗の室の内部に配設されたショーケースに内蔵される冷凍機の排熱を処理するための装置であって、導入した空気を前記冷凍機に供給する給気手段と、駆動することにより前記冷凍機の周囲を通過した空気を、前記室において商品の精算処理を行うカウンタの配設領域の近傍、並びに前記室に設置された空調装置の吸込口の近傍の少なくとも１つに送出口を通じて送出する排気手段とを備えたことを特徴とする。
【０００７】
また本発明は、上記排熱処理装置において、前記給気手段は、前記ショーケースの前面近傍に配設された導入口を通じて該室の内部の空気を導入することを特徴とする。
【０００８】
また本発明は、上記排熱処理装置において、前記排気手段は、前記室における前記カウンタの配設領域の近傍に送出口を通じて前記冷凍機の周囲を通過した空気を送出するものであり、前記送出口は、自身の長手方向が前記カウンタの長手方向と一致する態様で該カウンタの直上域に形成されたことを特徴とする。
【０００９】
また本発明は、上記排熱処理装置において、前記冷凍機が前記ショーケースの上部に配置されていることを特徴とする。
【発明の効果】
【００１０】
本発明によれば、給気手段により導入した空気を冷凍機に供給して冷凍機の排熱を吸収させ、排気手段の駆動により冷凍機の周囲を通過して該冷凍機の排熱を吸収した空気をカウンタの配設領域の近傍、並びに空調装置の吸込口の近傍の少なくとも１つに送出口を通じて送出するので、排気手段により冷凍機の周囲を通過した空気をカウンタの配設領域の近傍に送出する場合には、店舗の室において店員の滞在時間が最も長いカウンタの近傍に集中的に高温の空気を供給することができる。これにより、空調装置により店舗の室の内部空気全体を加熱しなくてもよい。
【００１１】
一方、排気手段により冷凍機の周囲を通過した空気を空調装置の吸込口の近傍に送出する場合には、送出させた空気が空調装置の吸込口を通じて吸い込まれて加熱されて室の内部に吹き出されて室の内部空気を加熱することができる。つまり、ショーケースの冷凍機の排熱を室の内部空気の加熱に用いることができる。
【００１２】
従って、空調装置の形態に関わらず、該空調装置の加熱負荷の低減化を図ることができるという効果を奏する。
【図面の簡単な説明】
【００１３】
【図１】図１は、本発明の実施の形態１である排熱処理装置が適用された店舗の室の内部を上方から見た場合を模式的に示す説明図である。
【図２】図２は、図１に示した店舗の室の内部を側方から見た場合を模式的に示す説明図である。
【図３】図３は、本発明の実施の形態２である排熱処理装置が適用された店舗の室の内部を側方から見た場合を模式的に示す説明図である。
【図４】図４は、送出口と空調装置との関係を示す説明図である。
【図５】図５は、送出口と空調装置との関係を示す説明図である。
【発明を実施するための形態】
【００１４】
以下に添付図面を参照して、本発明に係る排熱処理装置の好適な実施の形態について詳細に説明する。
【００１５】
＜実施の形態１＞
図１は、本発明の実施の形態１である排熱処理装置が適用された店舗の室の内部を上方から見た場合を模式的に示す説明図であり、図２は、図１に示した店舗の室の内部を側方から見た場合を模式的に示す説明図である。
【００１６】
ここで例示する排熱処理装置は、例えばコンビニエンスストア等の店舗１０の室１１に配設されたショーケース２０の排熱処理を行うものである。このショーケース２０は、いわゆるオープンショーケースと称されるものであり、前面開口を臨む収納室２１に商品を所望の温度状態に保持して収納するものである。尚、図１中の符号１２は、店舗１０の入口であり、符号１３は、該室１１の空調装置である。
【００１７】
かかるショーケース２０においては、収納室２１の上部に冷凍機２２が設けられている。冷凍機２２は、圧縮機２２１と凝縮器２２２とを備えており、収納室２１の内部空気を冷却する図示せぬ蒸発器に冷媒を供給するとともに該蒸発器から冷媒を吸引することで該蒸発器と冷凍サイクルを構成するものである。図２中の符号２２３は、凝縮器２２２の近傍に配設された凝縮器ファンである。
【００１８】
排熱処理装置は、給気手段３０ａ及び排気手段３０ｂを備えている。給気手段３０ａは、給気ライン３１と給気ファン３２とを備えて構成されている。
【００１９】
給気ライン３１は、室１１の天井に形成された導入口３３からショーケース２０の冷凍機２２に至る通風路である。導入口３３は、ショーケース２０の前面近傍、すなわちショーケース２０の前面の直上域に形成されている。
【００２０】
給気ファン３２は、給気ライン３１上に配設されており、より詳細には、室１１の天井裏１５に配設されている。この給気ファン３２は、図示せぬ制御手段から与えられる指令に基づいて駆動するものである。
【００２１】
排気手段３０ｂは、排気ライン３４と排気ファン３５とを備えて構成されている。
【００２２】
排気ライン３４は、ショーケース２０の冷凍機２２から室１１の天井に形成された送出口３６に至る通風路である。送出口３６は、室１１において商品の精算処理を行うカウンタ１４の配設領域の近傍、すなわち該カウンタ１４の直上域に形成されている。この送出口３６は、長孔形状の開口であり、長手方向がカウンタ１４の長手方向と一致する態様で形成されている。
【００２３】
排気ファン３５は、排気ライン３４上に配設されており、より詳細には、室１１の天井裏１５に配設されている。この排気ファン３５は、制御手段から与えられる指令に基づいて駆動するものである。
【００２４】
以上のような構成を有する排熱処理装置においては、空調装置１３が室１１の内部空気を加熱する暖房運転を行う場合において、制御手段により給気ファン３２及び排気ファン３５が駆動することによりショーケース２０の冷凍機２２の排熱を次のようにして処理することができる。
【００２５】
給気ファン３２が駆動することにより、導入口３３を通じてショーケース２０の前面近傍の空気（室１１の内部空気）が給気ライン３１に導入される。給気ライン３１に導入された空気は、給気ファン３２によりショーケース２０の冷凍機２２に供給される。冷凍機２２に供給された空気は、該冷凍機２２の周囲を通過中に該冷凍機２２と熱交換を行って該冷凍機２２の排熱を吸収して高温なものとなる。そして、排気ファン３５の駆動により冷凍機２２の排熱を吸収した空気は、排気ライン３４を通過し、送出口３６を通じて室１１の内部、すなわちカウンタ１４の近傍に送出される。
【００２６】
以上説明したように、本発明の実施の形態１である排熱処理装置によれば、給気ファン３２の駆動により導入口３３を通じて導入した室１１の内部空気をショーケース２０の冷凍機２２の周囲を通過させて該冷凍機２２の排熱を吸収させ、排気ファン３５の駆動により冷凍機２２の排熱を吸収した空気をカウンタ１４の配設領域の近傍に送出口３６を通じて送出させて排出するので、店舗１０の室１１において店員の滞在時間が最も長いカウンタ１４の近傍に集中的に高温の空気を供給することができる。これにより、空調装置１３により店舗１０の室１１の内部空気全体を加熱しなくてもよい。従って、空調装置１３の形態に関わらず、該空調装置１３の加熱負荷の低減化を図ることができる。
【００２７】
上記排熱処理装置によれば、導入口３３がショーケース２０の前面近傍に形成されているので、給気ファン３２の駆動によりショーケース２０の前面近傍の空気を給気ライン３１に導入口３３を通じて導入してショーケース２０の冷凍機２２に供給することができる。これにより、ショーケース２０の収納室２１から漏れた冷気が溜まっているショーケース２０の前面近傍の空気を有効に活用することができ、ショーケース２０の冷気溜まりの温度低下を緩和して空調装置１３の加熱負荷の低減化を更に図ることができ、店舗１０全体の省エネルギー化を図ることができる。
【００２８】
上記排熱処理装置によれば、送出口３６がカウンタ１４の直上域において、長手方向がカウンタ１４の長手方向と一致する態様で形成されているので、送出口３６よりカウンタ１４周辺への空気の送出速度を適度に抑制することができる。しかも、送出口３６から送出される空気がカウンタ１４の周辺と室１１の売場とを区画するエアカーテンとして機能させることができる。
【００２９】
＜実施の形態２＞
図３は、本発明の実施の形態２である排熱処理装置が適用された店舗の室の内部を側方から見た場合を模式的に示す説明図である。
【００３０】
ここで例示する排熱処理装置は、例えばコンビニエンスストア等の店舗４０の室４１に配設されたショーケース５０の排熱処理を行うものである。このショーケース５０は、いわゆるオープンショーケースと称されるものであり、前面開口を臨む収納室５１に商品を所望の温度状態に保持して収納するものである。
【００３１】
かかるショーケース５０においては、収納室５１の上部に冷凍機５２が設けられている。冷凍機５２は、圧縮機５２１と凝縮器５２２とを備えており、収納室５１の内部空気を冷却する図示せぬ蒸発器に冷媒を供給するとともに該蒸発器から冷媒を吸引することで該蒸発器と冷凍サイクルを構成するものである。図３中の符号５２３は、凝縮器５２２の近傍に配設された凝縮器ファンである。
【００３２】
排熱処理装置は、給気手段６０ａ及び排気手段６０ｂを備えている。給気手段６０ａは、給気ダクト６１と給気ファン６２とを備えて構成されている。
【００３３】
給気ダクト６１は、ショーケース５０の内部に設けられており、ショーケース５０に設けられた導入口６３から冷凍機５２に至る通風路である。導入口６３は、収納室５１の下部において前面を臨む態様で設けられている。
【００３４】
給気ファン６２は、給気ダクト６１に配設されている。この給気ファン６２は、図示せぬ制御手段から与えられる指令に基づいて駆動するものである。
【００３５】
排気手段６０ｂは、排気ライン６４と排気ファン６５とを備えて構成されている。
【００３６】
排気ライン６４は、ショーケース５０の冷凍機５２から室４１の天井に形成された送出口６６に至る通風路である。送出口６６は、室４１の内部空気の温度を調整する空調装置７０の近傍、すなわち空調装置７０の吸込口７１の近傍に形成されている。この送出口６６には、空気を空調装置７０の吸込口７１に案内する送出口ガイド６７が設けられている。
【００３７】
空調装置７０は、室４１の天井に配設されており、室４１の内部から見た場合に正方形の形状を成すものである。この空調装置７０は、その中央部分に矩形状の吸込口７１が形成されているとともに、吸込口７１の周囲に吹出口７２が形成されている。かかる空調装置７０は、吸込口７１を通じて吸い込んだ室４１の内部空気を加熱して吹出口７２より室４１の内部に吹き出すものである。
【００３８】
排気ファン６５は、排気ライン６４上に配設されており、より詳細には、室４１の天井裏４５に配設されている。この排気ファン６５は、制御手段から与えられる指令に基づいて駆動するものである。
【００３９】
以上のような構成を有する排熱処理装置においては、空調装置７０が室４１の内部空気を加熱する暖房運転を行う場合において、制御手段により給気ファン６２及び排気ファン６５が駆動することによりショーケース５０の冷凍機５２の排熱を次のようにして処理することができる。
【００４０】
給気ファン６２が駆動することにより、導入口６３を通じてショーケース５０の前面近傍の空気（室４１の内部空気）が給気ダクト６１に導入される。給気ダクト６１に導入された空気は、給気ファン６２により冷凍機５２に供給される。冷凍機５２に供給された空気は、該冷凍機５２の周囲を通過中に該冷凍機５２と熱交換を行って該冷凍機５２の排熱を吸収して高温なものとなる。そして、排気ファン６５の駆動により冷凍機５２の排熱を吸収した空気は、排気ライン６４を通過し、送出口６６を通じて室４１の内部、すなわち空調装置７０の近傍に送出される。
【００４１】
以上説明したように、本発明の実施の形態２である排熱処理装置によれば、給気ファン６２の駆動により導入口６３を通じて導入した室４１の内部空気をショーケース５０の冷凍機５２の周囲を通過させて該冷凍機５２の排熱を吸収させ、排気ファン６５の駆動により冷凍機５２の排熱を吸収した空気を空調装置７０の近傍に送出口６６を通じて送出させて排出するので、送出させた空気が空調装置７０の吸込口７１を通じて吸い込まれて加熱されて吹出口７２より室４１の内部に吹き出されて室４１の内部空気を加熱することができる。つまり、ショーケース５０の冷凍機５２の排熱を室４１の内部空気の加熱に用いることができる。従って、空調装置７０の形態に関わらず、該空調装置７０の加熱負荷の低減化を図ることができる。
【００４２】
上記排熱処理装置によれば、導入口６３がショーケース５０の収納室５１の下部の前面に形成されているので、給気ファン６２の駆動によりショーケース５０の前面近傍の空気を給気ダクト６１に導入口６３を通じて導入して冷凍機５２に供給することができる。これにより、ショーケース５０の収納室５１から漏れた冷気が溜まっているショーケース５０の前面近傍の空気を有効に活用することができ、ショーケース５０の冷気溜まりの温度低下を緩和して空調装置７０の加熱負荷の低減化を更に図ることができ、店舗４０全体の省エネルギー化を図ることができる。
【００４３】
ところで、室４１の天井に配設された空調装置７０は、上述したように室４１の内部から見たときに正方形の形状を成す正方形タイプである場合、中央部分に矩形状の吸込口７１を有し、かつ吸込口７１の周囲に該吸込口７１の各辺に平行となる４つの吹出口７２を有しているのが一般的である。そして、各吹出口７２にはフラップが設けられており、各吹出口７２はフラップにより開閉されるものである。
【００４４】
そのため、図４に示すように、排気ライン６４の送出口６６と空調装置７０の吸込口７１との間にいずれか１つの吹出口７２が介在する場合には、当該吹出口７２はフラップにより閉成させて、残りに吹出口７２から吹き出させるようにすることが好ましい。これによれば、送出口６６より送出された空気が吸込口７１に良好に吸い込まれることになる。
【００４５】
また、図５に示すように、排気ライン６４の送出口６６が吸込口７１の対角線の延長線上に配設され、送出口６６から該延長線上に沿って吸込口７１に排気ライン６４を通過した空気が送出される場合には、すべての吹出口７２を開成させて各吹出口７２から空気を吹き出させるようにすることが好ましい。
【００４６】
以上、本発明の好適な実施の形態１及び実施の形態２について説明したが、本発明はこれらに限定されるものではなく、種々の変更を行うことができる。
【００４７】
上述した実施の形態１では、排気手段３０ｂがショーケース２０の冷凍機２２の排熱を吸収した空気をカウンタ１４の配設領域の近傍に送出し、実施の形態２では、排気手段６０ｂがショーケース５０の冷凍機５２の排熱を吸収した空気を空調装置７０の近傍に送出していたが、本発明においては、排気手段がショーケースの冷凍機の排熱を吸収した空気をカウンタの配設領域の近傍及び空調装置の吸込口の近傍に送出するものであってもよい。
【００４８】
上述した実施の形態１では、給気手段３０ａを構成する給気ライン３１は、天井に設けられた導入口３３より導入した空気をショーケース２０の冷凍機２２に供給していたが、本発明においては、実施の形態１である給気手段３０ａは、実施の形態２における給気手段６０ａを構成する給気ダクト６１を採用してもよい。これによっても、冷気溜まりが生じやすいショーケース２０の前面近傍の空気を用いることができる。また本発明においては、ショーケース２０における冷凍機２２が設けられている部分の前面に開口を形成し、該開口より店舗１０の内部の空気を吸い込むようにしてもよい。これによっても、冷気溜まりが生じやすいショーケース２０の前面近傍の空気を用いることができる。
【符号の説明】
【００４９】
１０  店舗
１１  室
１４  カウンタ
２０  ショーケース
２１  収納室
２２  冷凍機
２２１  圧縮機
２２２  凝縮器
２２３  凝縮器ファン
３０ａ  給気手段
３０ｂ  排気手段
３１  給気ライン
３２  給気ファン
３３  導入口
３４  排気ライン
３５  排気ファン
３６  送出口
４０  店舗
４１  室
５０  ショーケース
５１  収納室
５２  冷凍機
５２１  圧縮機
５２２  凝縮器
５２３  凝縮器ファン
６０ａ  給気手段
６０ｂ  排気手段
６１  給気ダクト
６２  給気ファン
６３  導入口
６４  排気ライン
６５  排気ファン
６６  送出口
７０  空調装置
７１  吸込口
【図１】
0006578720.tif 000002
【図２】
0006578720.tif 000003
【図３】
0006578720.tif 000004
【図４】
0006578720.tif 000005
【図５】
0006578720.tif 000006